(57)【特許請求の範囲】
【請求項１】
地盤に凹所を形成し、該凹所に遮水シートを布設する施設において、前記遮水シートの上部部分を前記凹所の周囲に形成される小段部を有する法面の前記小段部の法肩部の位置でその周方向にそって上方に向けて立ち上がる扁平な逆Ｕ字形に折り畳み、該折り畳み部を長さ方向に適宜間隔で複数箇所、摘み具で摘んで遮水シートの引っ張り伸び代とし、凹所への投入物の集積による荷重増加にともなう遮水シートへの下方への引張力に対して、前記摘み具をゆるめて引っ張り伸び代を引張方向に適宜引き出し遮水シートの布設長を調節することを特徴とする遮水シートの張設方法。
【請求項２】
地盤に凹所を形成し、該凹所に遮水シートを布設する施設において、前記遮水シートの上部部分を前記凹所の周囲に形成される小段部を有する法面の前記小段部の法肩部の位置でその周方向にそって上方に向けて立ち上がる扁平な逆Ｕ字形に折り畳み、該折り畳み部を長さ方向に適宜間隔で複数箇所、摘み具で摘んで遮水シートの引っ張り伸び代とし、凹所への投入物の集積による荷重増加にともなう遮水シートへの下方への引張力に対して、前記摘み具をゆるめて引っ張り伸び代を引張方向に適宜引き出し遮水シートの布設長を調節する遮水シートの張設方法で使用する前記遮水シートの摘み具であって、該摘み具は、遮水シートに形成した前記逆Ｕ字形の折り畳み部の両側を上方から挟み込む対向する摘み板と、該摘み板に装着されてこれを遮水シートに固定する固定部材とで構成することを特徴とする遮水シートの摘み具。
【請求項３】
摘み板は遮水シートの折り畳み部の長さ方向に適宜間隔で複数取り付け、該摘み板と遮水シートの折り畳み部との間に、複数の摘み板にわたるように細長板状の挟み板を介在させる請求項２記載の遮水シートの摘み具。
【請求項４】
固定部材は、対向する摘み板間に貫通するボルトとナットで構成する請求項２または請求項３に記載の遮水シートの摘み具。
【請求項５】
固定部材は、摘み板と挟み板との間に位置させてくさび状体を摘み板または挟み板のいずれかに固定し、摘み板を挟み板に回動自在に取り付けた請求項２または請求項３に記載の遮水シートの摘み具。
【請求項６】
固定部材は、対向する摘み板間に弾装したバネである請求項２または請求項３に記載の遮水シートの摘み具。
【発明の詳細な説明】
【０００１】
【発明の属する技術分野】
本発明は廃棄物最終処分場等の施設に布設する遮水シートの張設方法および遮水シートの摘み具に関するものである。
【０００２】
【従来の技術】
例えば、廃棄物最終処分場は、例えば図６に示すように地盤１を掘削して凹所２を形成し、これを廃棄物（ゴミ）４の集積場３として利用するもので、該処分場に運び込まれる廃棄物４は凹所２内に投棄され、該廃棄物４は長い年月にわたって層状に充填転圧して集積される。そして、集積場３がここに集積された廃棄物４で満杯になればその表面を遮水層で覆土して廃棄物（ゴミ）層への雨水等の含浸を防ぐようにしている。
【０００３】
このように廃棄物（ゴミ）層への雨水等の含浸を防ぐ構造となってはいるものの、長い年月の間には廃棄物４から出る有害物質やいわゆるゴミ汁などが地中に漏液して浸透し、土壌を汚染することがあり、かかる不都合を防ぐために、一例として、廃棄物処分場の構築の際には遮水工として集積場３となる凹所２には、最下層にベントナイト等による遮水層５を張りつけ施工し、その上にゴムシートまたは合成樹脂シートなどによる漏液防止用の遮水シート６を布設し、さらにその上にセメント改良などによる適度の強度を有する安定処理土層７を覆土するようにしている。
【０００４】
【発明が解決しようとする課題】
遮水シート６は前記のようにゴムシートや合成樹脂シートなど、既成品としてのものであり、比較的薄いものなので、これを布設する施工時に重機などによって破損され、この破損されたものがそのまま布設されることがある。
【０００５】
また、前記のように遮水層５の表面に張られた遮水シート６には安定処理土層７が先行して張りつけられ、後追いで廃棄物４が水平方向に巻き出し転圧締め固められながら堆積されるため、上載される廃棄物４の荷重が安定処理土層７に伝達され、さらに遮水シート６に伝えられて、遮水シート６のうち凹所２の斜面に張りつけた部分に斜め下方向の引張力となって作用し、遮水シート６を下方に引っ張る。
【０００６】
その結果、破壊荷重を越えたところで遮水シート６は破損し、その上の安定処理土層７と廃棄物４とを載せたまま下方にずれ落ちるようにして沈下することになる。
【０００７】
本発明の目的は前記従来例の不都合を解消し、集積場に堆積した廃棄物や安定処理土層等の荷重が遮水シートに加わり、斜め下方への引張力が作用しても、遮水シートが破損したり、破損により下方にずり落ちることを防いで、廃棄物処分場等の施設の機能が損なわれることを防止できる遮水シートの張設方法および遮水シートの摘み具を提供することにある。
【０００８】
【課題を解決するための手段】
本発明は前記目的を達成するため、遮水シートの張設方法として、第１に、地盤に凹所を形成し、該凹所に遮水シートを布設する施設において、前記遮水シートの上部部分を前記凹所の周囲に形成される小段部を有する法面の前記小段部の法肩部の位置でその周方向にそって上方に向けて立ち上がる扁平な逆Ｕ字形に折り畳み、該折り畳み部を長さ方向に適宜間隔で複数箇所、摘み具で摘んで遮水シートの引っ張り伸び代とし、凹所への投入物の集積による荷重増加にともなう遮水シートへの下方への引張力に対して、前記摘み具をゆるめて引っ張り伸び代を引張方向に適宜引き出し遮水シートの布設長を調節することを要旨とするものである。
【０００９】
遮水シートの摘み具として、第２に、地盤に凹所を形成し、該凹所に遮水シートを布設する施設において、前記遮水シートの上部部分を前記凹所の周囲に形成される小段部を有する法面の前記小段部の法肩部の位置でその周方向にそって上方に向けて立ち上がる扁平な逆Ｕ字形に折り畳み、該折り畳み部を長さ方向に適宜間隔で複数箇所、摘み具で摘んで遮水シートの引っ張り伸び代とし、凹所への投入物の集積による荷重増加にともなう遮水シートへの下方への引張力に対して、前記摘み具をゆるめて引っ張り伸び代を引張方向に適宜引き出し遮水シートの布設長を調節する遮水シートの張設方法で使用する前記遮水シートの摘み具であって、該摘み具は、遮水シートに形成した前記逆Ｕ字形の折り畳み部の両側を上方から挟み込む対向する摘み板と、該摘み板に装着されてこれを遮水シートに固定する固定部材とで構成することを要旨とするものである。
【００１０】
第３に、摘み板は遮水シートの折り畳み部の長さ方向に適宜間隔で複数取り付け、該摘み板と遮水シートの折り畳み部との間に、複数の摘み板にわたるように細長板状の挟み板を介在させることを要旨とするものである。
【００１１】
第４に、固定部材は、対向する摘み板間に貫通するボルトとナットで構成すること、第５に、固定部材は、摘み板と挟み板との間に位置させてくさび状体を摘み板または挟み板のいずれかに固定し、摘み板を挟み板に回動自在に取り付けたこと、第６に、固定部材は、対向する摘み板間に弾装したバネであることを要旨とするものである。
【００１２】
請求項１記載の本発明によれば、堆積した投入物の荷重によって遮水シートが斜め下方向への引張力が作用したときは、摘み具をゆるめて、遮水シートの上部分の途中に形成してある引っ張り伸び代である折り畳み部を引き伸ばし、遮水シートの布設長を長くして遮水シートに加わる下方への引張力に対処する。これにより、遮水シートか破損したりずれ落ちたりすることを防止できる。
【００１３】
そして、遮水シートの引っ張り伸び代は上方に向けて立ち上がる逆Ｕ字形に折り畳んで、凹所の周囲の法面の小段部の法肩部の位置に設けることにより、この引っ張り伸び代が周壁となって小段部の平面が仮設水路となる。よって、法面からの雨水等の流下による安定処理土層の軟弱化、流動化を防止できる。
【００１４】
請求項２記載の本発明によれば、遮水シートの引っ張り伸び代を折り畳み形状に保持する摘み具は、折り畳み部の両側を上方から摘み板で挟み込み、固定部材で遮水シートに固定すればよいから、引っ張り伸び代を簡単に形成でき、また、引っ張り伸び代を必要に応じて容易に伸長することができ、遮水シートに加わる下方への引張力に対して迅速に対処できる。
【００１５】
請求項３記載の本発明によれば、前記作用に加えて、摘み板と遮水シートの折り畳み部との間に、複数の摘み板にわたるように細長板状の挟み板を介在させることにより、摘み板と固定部材とによる固定力が遮水シートの折り畳み部に長さ方向にそって各部均等にかかり、引っ張り伸び代の折り畳み形状が全長にわたって保持される。
【００１６】
請求項４記載の本発明によれば、前記作用に加えて、固定部材を、対向する摘み板間に貫通するボルトとナットで構成することにより、ボルトを締めつけるだけで摘み板が遮水シートの引っ張り伸び代に加わり固定される。引っ張り伸び代を引き出すには、ボルトをゆるめればよい。そして、ボルトとナットは市販の部材を使用できる。
【００１７】
請求項５記載の本発明によれば、前記作用に加えて、摘み板と挟み板との間に位置させてくさび状体を摘み板または挟み板のいずれかに固定し、摘み板を挟み板に回動自在に取り付けたことにより、摘み板を挟み板に対して回動するだけで、くさび状体が摘み板と挟み板との間に食い込んで、摘み板からの押圧力が挟み板を介して引っ張り伸び代に伝わり、ワンタッチ的に簡単に固定される。引っ張り伸び代を引き出すには、前記と逆の方向に摘み板を回動すればよい。
【００１８】
請求項６記載の本発明によれば、前記作用に加えて、固定部材を、対向する摘み板間に弾装したバネとすることにより、バネの弾力に抗して対向する摘み板を外側に押し広げるだけで、摘み板を遮水シートにワンタッチ的に容易に着脱できる。
【００１９】
【発明の実施の形態】
以下、図面について本発明の実施の形態を詳細に説明する。図１は本発明の遮水シートの張設方法および遮水シートの摘み具の第１実施形態を示す説明図、図２は同上摘み具の側面図、図３は本発明が実施される施設としての、例えば廃棄物最終処分場の縦断側面図で、廃棄物最終処分場の構成は図６に示した従来例と基本的には同様であり、同一の構成要素には同一の参照符号を付してある。
【００２０】
本発明が実施される廃棄物最終処分場も、地盤１を掘削して凹所２を形成し、これを廃棄物（ゴミ）４の集積場３とするもので、この集積場３は最下層に遮水層５を張りつけ、その上にゴムシートなどによる漏液防止用の遮水シート６を布設し、さらにその上にセメント改良などによる適度の強度を有する安定処理土層７を覆土している。そして、前記凹所２は周囲を法面に形成し、その途中に小段部８を設けてある。
【００２１】
かかる構造の廃棄物最終処分場において、布設する遮水シート６の小段部８の法肩部９に位置する部分を、集積場３の周方向にそって上方に向けた立ち上がる偏平な逆Ｕ字形に折り畳み、この折り畳み部を折り畳み形状が保持されるように摘み具10で摘んで、遮水シート６の引っ張り伸び代11とする。
【００２２】
摘み具10の構造は、遮水シート６の逆Ｕ字形の折り畳み部による引っ張り伸び代11の両側を上方から挟み込む対向する摘み板12と、該摘み板12に装着されてこれを遮水シート６に固定する固定部材13とで構成し、第１実施形態として図１、図２に示すように対向する摘み板12は上部を連接して全体をコ字形に形成し、高さ方向の長さを引っ張り伸び代11の高さよりも大きく（図示の例では２倍程度）形成した。
【００２３】
固定部材13は対向する摘み板12間に貫通するボルト14と該ボルト14の両側で摘み板12の外側位置に螺合する蝶ナット15とで構成し、ボルト14は後述のように引っ張り伸び代11を摘み板12間に挟み込んだ状態で、引っ張り伸び代11の上端の上方位置で摘み板12を貫通するように位置決める。
【００２４】
図中16は摘み板12と遮水シート６の引っ張り伸び代11との間に介在させる細長板状の挟み板を示す。
【００２５】
次にかかる摘み具10と挟み板16を使用して遮水シート６を凹所２に張りつけた遮水層５の上面に布設する方法について説明する。遮水層５の上面に遮水シート６を布設するとき、小段部８の法肩部９の箇所で遮水シート６の途中を上方に摘んで偏平な逆Ｕ字形に折り畳み、この折り畳み部を引っ張り伸び代11として、摘み具10で上方から挟み込む。
【００２６】
挟み込みの具体的方法は、挟み板16を引っ張り伸び代11の長さ方向にわたってその両側にあてがい、挟み板16の外側から引っ張り伸び代11の長さ方向にわたって適宜間隔で複数の摘み具10を挿着する。この場合、蝶ナット15をゆるめて対向する摘み板12間の間隔を広げて、摘み板12間に引っ張り伸び代11と挟み板16をともに挿入し、その後、蝶ナット15を締めつけて摘み板12を引っ張り伸び代11に対して両側から押圧する。これにより、摘み具10による固定力が遮水シート６の折り畳み部に長さ方向にそって各部均等にかかり、摘み具10が引っ張り伸び代11に仮固定されて、引っ張り伸び代11は全長にわたって折り畳み形状が保持される。
【００２７】
集積場３に廃棄物４が投棄され、水平方向に巻き出し転圧締め固められながら堆積されると、廃棄物４の荷重が増加し、こうして上載される廃棄物４の荷重が安定処理土層７に伝達され、廃棄物４と安定処理土層７との荷重が遮水シート６に伝えられて、斜め下方向の引張力となって作用し、遮水シート６を下方に引っ張るようになる。
【００２８】
かかる場合には遮水シート６に下方への引張力が加わっている部分から、当該箇所の摘み具10の蝶ナット15をゆるめて摘み板12の引っ張り伸び代11に対する押圧を解除して、引っ張り伸び代11として折り畳まれている分の遮水シート６を引張力の強さに対応する長さだけ適宜長下方の引張方向に引出し、布設長を調節する。こうして遮水シート６に加わっている引張力を開放すれば、遮水シート６が下方にずれ落ちたり、破損したりすることを防止できる。
【００２９】
引っ張り伸び代11を適宜長引き出した後は、摘み具10の蝶ナット15を再度締めつけて摘み具10を遮水シート６に仮固定する。
【００３０】
なお、この状態で、引っ張り伸び代11は小段部８の法肩部９に立ち上がるから、周壁としても機能し、小段部８の平面が仮設水路17となる。よって、法面からの雨水等の流下による安定処理土層７の軟弱化、流動化を防止でき、安定処理土層７の形状が保持できなくなったり、集積場３の品質を確保できなくなることを防げる。
【００３１】
そして、集積場３に堆積した廃棄物４が小段部８の付近まで達すれば、遮水シート６の引っ張り伸び代11を摘んでいた摘み具10を撤去して、廃棄物４の上を安定処理土層で覆土して仕上げる。
【００３２】
図４は摘み具10の第２実施形態を示し、摘み板12の下部の一方の角部を斜めに切欠いてテーパー部12ａに形成し、他方の角部の近傍をナット18で挟み板16に回動自在に取り付ける。
【００３３】
さらに、摘み板12と挟み板16との間に固定部材13としてくさび状体19を介装する。該くさび状体19は摘み板12または挟み板16のいずれかに、図示の例では挟み板16の外面に溶接などにより固定したもので、正面形状を挟み板16とほぼ同じ幅で、横長手方向の長さを摘み板12の高さ方向の長さよりも短く形成し、摘み板12の軸着部とは反対の側のほぼ半分（図において右半分）が、下方および長さ方向の端部（図において右下端）に向けて徐々に肉厚となるように表面をテーパー面19ａに形成した。
【００３４】
よって、摘み具10を遮水シート６に仮固定するには、摘み板12を垂直に立てた状態で対向する摘み板12間の隙間を広げて、この隙間に遮水シート６の引っ張り伸び代11、くさび状体19を固定してある挟み板16を挿入する。そして、摘み板12をナット18による軸着部を中心にして上部を下方に回動すれば、摘み板12の内側がくさび状体19の外側のテーパー面19ａに摺接する。この場合、摘み板12の角部はテーパー部12ａとして欠損してあるから、摘み板12の角が遮水シート６にぶつかって回動の妨げとなることはない。
【００３５】
その結果、摘み板12はテーパー面19ａによって外側に押し広げられ、これに抗する力が押圧力となって摘み板12からくさび状体19を介して挟み板16および遮水シート６の引っ張り伸び代11に加わり、摘み板12が遮水シート６に仮固定される。
【００３６】
引っ張り伸び代11を引き出すには、前記と逆の動作で摘み板12を垂直方向に回動すれば、摘み板12による遮水シート６への押圧力が解除されるから、引っ張り伸び代11の引出しが可能となる。
【００３７】
なお、図示の例ではくさび状体19は挟み板16の側に固定したが、摘み板12の側に固定することもできる。
【００３８】
図５は摘み具10の第３実施形態を示し、対向する摘み板12の間の上方に固定部材13としてバネ20を弾装した。図中21は摘み板12の下方部の内側に溶接などにより固定した調整板を示し、バネ20の弾力により対向する摘み板12に相互に引き合うような押圧力が付勢されるようにしている。
【００３９】
よって、摘み具10を遮水シート６に仮固定するには、バネ20の弾力に抗して摘み板12間の隙間を広げて、この隙間に遮水シート６の引っ張り伸び代11および挟み板16を挿入すれば、バネ20の弾力で摘み板12が遮水シート６に仮固定される。
【００４０】
引っ張り伸び代11を引き出すには、バネ20の弾力に抗して摘み板12間の隙間を広げて、遮水シート６の引っ張り伸び代11を引き出せばよい。
【００４１】
【発明の効果】
以上述べたように本発明の遮水シートの張設方法は、集積場に堆積した廃棄物や安定処理土層等の荷重が遮水シートに加わり、斜め下方への引張力が作用しても、遮水シートの途中に引っ張り伸び代を設けたから、遮水シートが破損したり、破損により下方にずり落ちることを防いで、廃棄物処分場等の施設の機能が損なわれることを防止できる。また、引っ張り伸び代により投入物の集積場の小段部に仮設の水路も同時に形成できるから、集積場への法面からの雨水などの流下による安定処理土層の軟弱化、流動化防止も図れるものである。
【００４２】
そして、遮水シートの摘み具は構造が簡単でワンタッチ的に遮水シートに着脱できるから、取扱が容易である。
【００４３】
なお、本発明は廃棄物処分場の遮水シートへの適用のみならず、汚染土壌の封じ込め施設の遮水シート、漏液防止シートの張り方にも適用される。また、本発明は「エコベースシステム」（商標登録出願中、出願人：鹿島建設株式会社）の遮水シートの張り方にも同様に適用される。
【図面の簡単な説明】
【図１】  本発明の遮水シートの張設方法および遮水シートの摘み具の第１実施形態を示す説明図である。
【図２】  本発明の遮水シートの摘み具の第１実施形態を示す側面図である。
【図３】  本発明が実施される廃棄物最終処分場の縦断側面図である。
【図４】  本発明の遮水シートの張設方法および遮水シートの摘み具の第２実施形態を示す説明図である。
【図５】  本発明の遮水シートの張設方法および遮水シートの摘み具の第３実施形態を示す説明図である。
【図６】  従来の廃棄物最終処分場の縦断側面図である。
【符号の説明】
１…地盤                        ２…凹所
３…集積場                      ４…廃棄物
５…遮水層                      ６…遮水シート
７…安定処理土層                ８…小段部
９…法肩部                      10…摘み具
11…引っ張り伸び代              12…摘み板
12ａ…テーパー部
13…固定部材                    14…ボルト
15…蝶ナット                    16…挟み板
17…仮設水路                    18…ナット
19…くさび状体                  19ａ…テーパー面
20…バネ                        21…調整板
【図１】
0004213315.tif 000002
【図２】
0004213315.tif 000003
【図３】
0004213315.tif 000004
【図４】
0004213315.tif 000005
【図５】
0004213315.tif 000006
【図６】
0004213315.tif 000007